(57)【要約】【課題】  衝撃を受けても球面収差補正動作を正常に行うこと。【解決手段】  球面収差補正機構３が、球面収差補正レンズ４を支持してその球面収差補正レンズ４を通る光軸Ｏに沿って往復移動可能な合成樹脂製レンズホルダ６と、光軸Ｏと平行するリードスクリュー１１と、該リードスクリュー１１に螺合するリードナット１２と、レンズホルダ６をリードナット１２に押し付けるばね１３とを有し、レンズホルダ６からリードナット１２の厚さｔ１よりも大きい間隔ｔ２をおいて平行するストッパ本体１７ａと、該ストッパ本体１７ａの両側縁から折り曲げられてレンズホルダ６に一体形成された一対の側縁部１７ｂとを有するストッパ１７が設けられており、ストッパ１７とレンズホルダ６との間の隙間１９にリードナット１２を挿入して該リードナット１２に一体突設した突起部１２ａをレンズホルダ６の回り止め部１４に嵌入させた。【選択図】        図１
2010211849.tif 000002
【特許請求の範囲】
【請求項１】
ディスクの半径方向に沿って移動可能なスライドベースに対物レンズとレーザダイオー
ドとを備えた光ピックアップが設けられ、前記対物レンズとレーザダイオードとの間に配
置された球面収差補正レンズを往復移動させるための球面収差補正機構が設けられ、該球
面収差補正機構が、球面収差補正レンズを支持してその球面収差補正レンズを通る光軸に
沿って往復移動可能な合成樹脂製レンズホルダと、該レンズホルダの中央部に形成した切
欠き溝に挿通されたリードスクリューと、該リードスクリューに螺合するリードナットと
、レンズホルダをリードナットに押し付けるばねとを有し、リードナットに一体突設した
突起部がレンズホルダの回り止め部に嵌入されており、リードスクリューを正逆回転させ
てリードナット及びレンズホルダを介して球面収差補正レンズを光軸に沿って往復移動さ
せることにより球面収差を補正し、レーザダイオードからレーザ光を球面収差補正レンズ
及び対物レンズを通ってディスクに投射し、その反射光に基づいてディスクに記録されて
いる情報を読み取るようにしたディスク装置において、前記リードナットの突起部が回り
止め部から逸脱するのを阻止するストッパが設けられていることを特徴とするディスク装
置。
【請求項２】
前記ストッパが、前記レンズホルダからリードナットの厚さよりも大きい間隔をおいて
平行するストッパ本体と、該ストッパ本体の両側縁から折り曲げられてレンズホルダに一
体形成された一対の側縁部とを有し、前記ストッパ本体にも前記切欠き溝と同形の切欠き
溝が同心状に形成されており、ストッパとレンズホルダとの間の隙間にリードナットを挿
入して突起部を回り止め部に嵌入させるようにしたことを特徴とする請求項１に記載のデ
ィスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、衝撃を受けても球面収差補正動作を正常に行うことができるよ
うにしたものである。
【背景技術】
【０００２】
図４の概略図はディスク装置の一例を示すものであり、これは、Ｂｌｕ−ｒａｙ  Ｄｉ
ｓｃ式のレコーダ（またはプレーヤ）であって、ディスクＤの半径方向に沿って移動可能
なスライドベース１に対物レンズＯＬとレーザダイオードＬＤとを備えた光ピックアップ
２が設けられ、球面収差補正機構３により往復移動される球面収差補正レンズ４が対物レ
ンズＯＬとレーザダイオードＬＤとの間に光軸Ｏが一致するように配置されている。なお
、ＰＢＳは偏光ビームスプリッタである。
【０００３】
従来の球面収差補正機構１８の一例として図５〜図８に示すものがあり、図５は同平面
図、図６（ａ）はＤ−Ｄ矢視図、図６（ｂ）はＥ−Ｅ矢視図、図６（ｃ）はＦ−Ｆ矢視図
、図７は同斜視図、図８（ａ）及び（ｂ）は同衝撃時の平面図である。
【０００４】
図５〜図７に示すように、球面収差補正レンズ４を一端部に取り付けたレンズホルダ６
を有し、該レンズホルダ６の中央ボス部６ａをスライドベース１に固定したガイドロッド
７に移動可能に嵌合させると共に、そのレンズホルダ６の他端係合部６ｂをスライドベー
ス１に一体形成したガイドレール８に移動可能に嵌合させることにより、球面収差補正レ
ンズ４を通る光軸Ｏに沿ってレンズホルダ６が矢印ａ，ｂ方向に移動可能に形成され、レ
ンズホルダ６の中央ボス部６ａの近傍の中央部に略Ｕ字状の切欠き溝９が形成され、モー
タ１０により正逆回転されるリードスクリュー１１がガイドロッド７と平行して切欠き溝
９に挿通され、該リードスクリュー１１にリードナット１２が螺合され、ガイドロッド７
に遊外嵌するコイル状ばね１３によりレンズホルダ６がリードナット１２に押し付けられ
、そのリードナット１２に一体突設した突起部１２ａがレンズホルダ６の側縁に一体形成
した突条部６ｃを切欠いて形成した凹状回り止め部１４に嵌入され、リードナット１２の
回転方向に沿って回り止め部１４と突起部１２ａとの間にわずかな間隙αを形成すること
により、ガイドロッド７とリードスクリュー１１との間の平行度誤差を吸収している。図
５中、１５はリードナット１２がリードスクリュー１１から離脱するのを阻止する板ばね
である。
【０００５】
情報読取手順を説明すると、レーザダイオードＬＤから球面収差補正レンズ４及び対物
レンズＯＬを通ってレーザ光をディスクＤに投射すると共に、モータ１０を駆動してリー
ドスクリュー１１を正逆回転させることによりリードナット１２及びレンズホルダ６を一
体的に矢印ａ，ｂ方向に移動させ、レンズホルダ６を介して球面収差補正レンズ４を光軸
Ｏに沿って往復移動させて球面収差を補正し、ディスクＤの記録面で反射された反射光に
基づいて情報を読み取り、映像の再生や記録を行う。なお、関連する技術として特許文献
１に記載したものがある。
【先行技術文献】
【特許文献】
【０００６】
【特許文献１】特開２００７−２５７８０５号公報
【発明の概要】
【発明が解決しようとする課題】
【０００７】
上記従来の構成では、運搬中や使用時に落下するなどして矢印ａ方向に衝撃Ｇがかかる
と、その衝撃Ｇによりばね１３が圧縮され、図５の仮想線及び図８（ａ）に示すように、
レンズホルダ６がリードナット１２から離間され、該リードナット１２の突起部１２ａが
回り止め部１４から逸脱する。このとき、その衝撃Ｇでリードナット１２が回って傾くと
、図８（ｂ）に示すように、衝撃Ｇが消えてばね１３によりレンズホルダ６が矢印ｂ方向
に移動してリードナット１２に当接する元の位置に戻ろうとしても、突起部１２ａが突条
部６ｃに引っ掛かって回り止め部１４に嵌入されないことがあり、この状態でリードスク
リュー１１を正逆回転させると、リードナット１２が空回りして、球面収差補正動作を正
常に行うことができなくなる。
【０００８】
また、レンズホルダ６の中央部に切欠き溝９や回り止め部１４が形成されることにより
、その中央部の横断面積が極端に小さくなって強度が弱いため、そのレンズホルダ６の中
央部に衝撃Ｇが集中的にかかってひび割れや損傷が生じることがあり、この点でも球面収
差補正動作を正常に行うことができなくなる。
【０００９】
本発明は、上記従来の欠点に鑑み、衝撃を受けても球面収差補正動作を正常に行うこと
ができるようにしたディスク装置を提供することを目的としている。
【課題を解決するための手段】
【００１０】
上記目的を達成するため、請求項１に記載の発明は、ディスクの半径方向に沿って移動
可能なスライドベースに対物レンズとレーザダイオードとを備えた光ピックアップが設け
られ、前記対物レンズとレーザダイオードとの間に配置された球面収差補正レンズを往復
移動させるための球面収差補正機構が設けられ、該球面収差補正機構が、球面収差補正レ
ンズを支持してその球面収差補正レンズを通る光軸に沿って往復移動可能な合成樹脂製レ
ンズホルダと、該レンズホルダの中央部に形成した切欠き溝に挿通されたリードスクリュ
ーと、該リードスクリューに螺合するリードナットと、レンズホルダをリードナットに押
し付けるばねとを有し、リードナットに一体突設した突起部がレンズホルダの回り止め部
に嵌入されており、リードスクリューを正逆回転させてリードナット及びレンズホルダを
介して球面収差補正レンズを光軸に沿って往復移動させることにより球面収差を補正し、
レーザダイオードからレーザ光を球面収差補正レンズ及び対物レンズを通ってディスクに
投射し、その反射光に基づいてディスクに記録されている情報を読み取るようにしたディ
スク装置において、前記リードナットの突起部が回り止め部から逸脱するのを阻止するス
トッパが設けられていることを特徴とするディスク装置。
【００１１】
請求項２に記載の発明は、請求項１に記載の発明において、前記ストッパが、前記レン
ズホルダからリードナットの厚さよりも大きい間隔をおいて平行するストッパ本体と、該
ストッパ本体の両側縁から折り曲げられてレンズホルダに一体形成された一対の側縁部と
を有し、前記ストッパ本体にも前記切欠き溝と同形の切欠き溝が同心状に形成されており
、ストッパとレンズホルダとの間の隙間にリードナットを挿入して突起部を回り止め部に
嵌入させるようにしたことを特徴としている。
【発明の効果】
【００１２】
請求項１に記載の発明によれば、運搬中や使用時に落下するなどして衝撃がかかって、
その衝撃によりばねが圧縮されてレンズホルダがリードナットから離間され、回り止め部
がリードナットの突起部から逸脱しようとしても、その逸脱をストッパで阻止するから、
リードナットの突起部が回り止め部に嵌入されている状態が確実に保持され、衝撃が消え
ることにより、ばねでレンズホルダがリードナットに押し付けられる状態に直ちに戻り、
球面収差補正動作を正常に行うことができる。
【００１３】
請求項２に記載の発明によれば、ストッパが、レンズホルダからリードナットの厚さよ
りも大きい間隔をおいて平行するストッパ本体と、該ストッパ本体の両側縁から折り曲げ
られてレンズホルダに一体形成された一対の側縁部とを有しており、該ストッパによりレ
ンズホルダの中央部を補強しているから、従来のように衝撃がレンズホルダの中央部に集
中的にかかってひび割れや損傷が生じることがなく、球面収差補正動作を一層正常に行う
ことができる。
【００１４】
更に、ストッパ４１がレンズホルダ２９に一体形成されており、部品点数が増加してい
ないから、経済的である。
【図面の簡単な説明】
【００１５】
【図１】本発明の実施の一形態であるディスク装置の平面図である。
【図２】（ａ）はＡ−Ａ矢視図、（ｂ）はＢ−Ｂ矢視図、（ｃ）はＣ−Ｃ矢視図である。
【図３】同斜視図である。
【図４】ディスク装置の概略図である。
【図５】従来例を示す平面図である。
【図６】（ａ）はＤ−Ｄ矢視図、（ｂ）はＥ−Ｅ矢視図、（ｃ）はＦ−Ｆ矢視図である。
【図７】同斜視図である。
【図８】（ａ）及び（ｂ）は同衝撃時の要部の平面図である。
【発明を実施するための形態】
【００１６】
図１〜図３に示すように、レンズホルダ６からリードナット１２の厚さｔ１よりも大き
い間隔ｔ２をおいて平行し突条部６ｃに一体形成したストッパ本体１７ａと、該ストッパ
本体１７ａの両側縁から直角に折り曲げられてレンズホルダ６に一体形成した一対の側縁
部１７ｂとを有する水平断面略コ字状のストッパ１７が設けられ、ストッパ本体１７ａに
も切欠き溝９と同形の切欠き溝１８が同心状に形成されており、ストッパ１７とレンズホ
ルダ６との間の隙間１９にリードナット１２を挿入して突起部１２ａを孔状の回り止め部
１４に嵌入させている。上記以外の構成は図４〜図７に示す構成とほぼ同じであるから、
同一部分に同一符号を付してその説明を省略する。
【００１７】
上記構成において、通常状態では、レンズホルダ６がリードナット１２に押し付けられ
ており、該リードナット１２をストッパ１７から離間させているので、モータ１０を駆動
してリードスクリュー１１を正逆回転させることによりリードナット１２及びレンズホル
ダ６を一体的に矢印ａ，ｂ方向に移動させ、球面収差補正レンズ４を光軸Ｏに沿って往復
移動させて球面収差を補正し、ディスクＤの記録面で反射された反射光に基づいて情報を
読み取り、映像の再生や記録を行う。
【００１８】
運搬中や使用時に落下するなどして衝撃Ｇがかかった場合、その衝撃Ｇによりばね１３
が圧縮されてレンズホルダ６がリードナット１２から離間され、回り止め部１４がリード
ナット１２の突起部１２ａから逸脱しようとしても、その逸脱をストッパ１７で阻止する
から、リードナット１２の突起部１２ａが回り止め部１４に嵌入されている状態が確実に
保持され、衝撃Ｇが消えることにより、ばね１３でレンズホルダ６がリードナット１２に
押し付けられる状態に直ちに戻り、球面収差補正動作を正常に行うことができる。
【００１９】
また、ストッパ１７によりレンズホルダ６の中央部が補強されているから、従来のよう
に衝撃Ｇがレンズホルダ６の中央部に集中的にかかってひび割れや損傷が生じることがな
く、球面収差補正動作を一層正常に行うことができる。
【００２０】
更に、ストッパ１７がレンズホルダ６に一体形成されており、部品点数が増加していな
いから、経済的である。
【符号の説明】
【００２１】
１        スライドベース
２        光ピックアップ
３        球面収差補正機構
４        球面収差補正レンズ
６        レンズホルダ
９        切欠き溝
１１      リードスクリュー
１２      リードナット
１２ａ    リードナットの突起部
１３      ばね
１４      回り止め部
１７      ストッパ
１７ａ    ストッパ本体
１７ｂ    ストッパの側縁部
１８      切欠き溝
１９      隙間
Ｄ        ディスク
ＯＬ      対物レンズ
ＬＤ      レーザダイオード
ｔ１      リードナットの厚さ
ｔ２      隙間の間隔
【図１】
2010211849.tif 000003
【図２】
2010211849.tif 000004
【図３】
2010211849.tif 000005
【図４】
2010211849.tif 000006
【図５】
2010211849.tif 000007
【図６】
2010211849.tif 000008
【図７】
2010211849.tif 000009
【図８】
2010211849.tif 000010